(57)【要約】【課題】本発明は、スピーカに関するもので、再生される音への歪の発生を抑制することを目的とするものである。【解決手段】平板振動板９を、複数の筒状体１０が、平面方向に連続的に配置された筒状構造体１１と、この筒状構造体１１の表面側と裏面側に配置された板体１２とを有する構成とした。前記カップリングコーン８の前記平板振動板９側の端部で、前記平板振動板９の裏面側の板体１２との間に形成される鋭角の隙間１５には、前記フランジ部１３と前記平板振動板９の裏面側の板体１２との間を固定した接着剤１４の一部を流出させて、カップリングコーン８の内周固定部を形成した。そして、このカップリングコーン８内周固定部に対応する前記平板振動板９部分には、この平板振動板９を構成する筒状構造体１１における筒状体１０の筒状壁面１６を配置した。【選択図】図２
2016052078.tif 000002
【特許請求の範囲】
【請求項１】
磁気ギャップを有する磁気回路と、この磁気回路の前記磁気ギャップ内に可動自在に設けたボイスコイルと、このボイスコイルに、その一端側が固定されたカップリングコーンと、このカップリングコーンの他端側に固定された平板振動板とを備え、前記平板振動板は、複数の筒状体が、平面方向に連続的に配置された筒状構造体と、この筒状構造体の表面側と裏面側に配置された板体とを有し、前記カップリングコーンは、前記ボイスコイル側が小径、前記平板振動板側が大径となった円錐筒状にするとともに、この前記カップリングコーンの前記平板振動板側には、外方に向けて折曲させたフランジ部を形成し、このフランジ部には、このフランジ部と前記平板振動板の裏面側板体との間を固定する接着剤を設け、前記カップリングコーンの前記平板振動板側の端部で、前記平板振動板の裏面側板体との間に形成される鋭角の隙間には、前記フランジ部と前記平板振動板の裏面側板体との間を固定した接着剤の一部を流出させて、カップリングコーン内周固定部を形成し、このカップリングコーン内周固定部に対応する前記平板振動板部分には、この平板振動板を構成する筒状構造体における筒状体の筒状壁面を配置したスピーカ。
【請求項２】
前記筒状構造体を構成する、外周の筒状体の径を、内周の筒状体の径よりも大きくし、この筒状構造体の内周よりも外方で、カップリングコーンのフランジ部を接着剤により固定した請求項１に記載のスピーカ。
【請求項３】
前記筒状構造体は、内周から、外周に向けて筒状体の径を、順次大きくした請求項２に記載のスピーカ。
【発明の詳細な説明】
【技術分野】
【０００１】
本発明は、平板振動板を備えたスピーカに関するものである。
【背景技術】
【０００２】
平板振動板を備えたスピーカは、コーン状振動板を備えたスピーカに比較し、音源位置と視聴位置（耳）との距離を一定化しやすいので、歪の少ないものにできる事が知られており、その構造は、以下のようになっている。
【０００３】
すなわち、この種、スピーカは、磁気ギャップを有する磁気回路と、この磁気回路の前記磁気ギャップ内に可動自在に設けたボイスコイルと、このボイスコイルに、その一端側が固定されたカップリングコーンと、このカップリングコーンの他端側に固定された平板振動板とを備えた構成となっている。
【０００４】
また、前記カップリングコーンは、前記ボイスコイル側が小径、前記平板振動板側が大径となった円錐筒状にするとともに、この前記カップリングコーンの前記平板振動板側には、外方に向けて折曲させたフランジ部を形成し、このフランジ部には、このフランジ部と前記平板振動板の裏面側板体との間を固定する接着剤を設けた構造となっている（これに類似する先行文献としては下記特許文献１が存在する）。
【先行技術文献】
【特許文献】
【０００５】
【特許文献１】実開昭６１−１６６６８９号の出願時の願書に最初に添付された明細書を写したマイクロフィルム
【発明の概要】
【発明が解決しようとする課題】
【０００６】
上記従来例では、磁気ギャップにおけるボイスコイルの振動が、カップリングコーンのフランジ部を介して、平板振動板に伝達され、この平面振動板が振動することで音声が出力されることになる。
【０００７】
しかしながら、平面振動板には、カップリングコーンのフランジ部を介して、前記ボイスコイルからの振動が伝達される構成となっているので、前記フランジ部に対応する平面振動板には大きな振動が伝達され、その結果として、この平面振動板が撓み、再生される音声に歪が大きく発生する事になる。
【０００８】
そこで、本発明は、再生される音声への歪の発生を抑制することを目的とするものである。
【課題を解決するための手段】
【０００９】
そして、この目的を達成するために本発明は、前記平板振動板は、複数の筒状体が、平面方向に連続的に配置された筒状構造体と、この筒状構造体の表面側と裏面側に配置された板体とを有し、前記カップリングコーンは、前記ボイスコイル側が小径、前記平板振動板側が大径となった円錐筒状にするとともに、この前記カップリングコーンの前記平板振動板側には、外方に向けて折曲させたフランジ部を形成し、このフランジ部には、このフランジ部と前記平板振動板の裏面側板体との間を固定する接着剤を設け、前記カップリングコーンの前記平板振動板側の端部で、前記平板振動板の裏面側板体との間に形成される鋭角の隙間には、前記フランジ部と前記平板振動板の裏面側板体との間を固定した接着剤の一部を流出させて、カップリングコーン内周固定部を形成し、このカップリングコーン内周固定部に対応する前記平板振動板部分には、この平板振動板を構成する筒状構造体における筒状体の筒状壁面を配置し、これにより所期の目的を達成するものである。
【発明の効果】
【００１０】
以上のように本発明は、前記平板振動板は、複数の筒状体が、平面方向に連続的に配置された筒状構造体と、この筒状構造体の表面側と裏面側に配置された板体とを有し、前記カップリングコーンは、前記ボイスコイル側が小径、前記平板振動板側が大径となった円錐筒状にするとともに、この前記カップリングコーンの前記平板振動板側には、外方に向けて折曲させたフランジ部を形成し、このフランジ部には、このフランジ部と前記平板振動板の裏面側板体との間を固定する接着剤を設け、前記カップリングコーンの前記平板振動板側の端部で、前記平板振動板の裏面側板体との間に形成される鋭角の隙間には、前記フランジ部と前記平板振動板の裏面側板体との間を固定した接着剤の一部を流出させて、カップリングコーン内周固定部を形成し、このカップリングコーン内周固定部に対応する前記平板振動板部分には、この平板振動板を構成する筒状構造体における筒状体の筒状壁面を配置したので、再生される音声への歪の発生を抑制することができる。
【００１１】
すなわち、本発明では、前記平板振動板を、複数の筒状体が、平面方向に連続的に配置された筒状構造体と、この筒状構造体の表面側と裏面側に配置された板体とを有する構成としたので、平板振動板自体が撓み難くなる。
【００１２】
また、前記カップリングコーンの前記平板振動板側の端部で、前記平板振動板の裏面側板体との間に形成される鋭角の隙間には、前記フランジ部と前記平板振動板の裏面側板体との間を固定した接着剤の一部を流出させて、カップリングコーン内周固定部を形成し、このカップリングコーン内周固定部に対応する前記平板振動板部分には、この平板振動板を構成する筒状構造体における筒状体の筒状壁面を配置したので、カップリングコーンからの振動は、この平板振動板を構成する筒状構造体における筒状体の筒状壁面に伝達されることとなり、このことからも、平板振動板自体が撓み難くなる。
【００１３】
さらに、本発明では、前記カップリングコーンの前記平板振動板側の端部で、前記平板振動板の裏面側板体との間に形成される鋭角の隙間に、前記フランジ部と前記平板振動板の裏面側板体との間を固定した接着剤の一部を流出させて、カップリングコーン内周固定部を形成したので、前記ボイスコイルからの振動は、このボイスコイル側が小径、前記平板振動板側が大径となったカップリングコーンの円錐筒状にスムーズに伝達される。
【００１４】
そして、カップリングコーンの円錐筒状にスムーズに伝達された振動は、そのまま平板振動板へと伝達されるので、振動に歪も発生することも少なく、以上の各作用が総合的に連携して発揮されることで、結論として、再生される音への歪の発生を抑制することが出来るものとなる。
【図面の簡単な説明】
【００１５】
【図１】本発明の実施形態１にかかるスピーカの斜視図
【図２】同断面図
【図３】同平板振動板の平面図
【図４】図３のＡ−Ａ線断面図
【図５】同平板振動板を構成する筒状構造体の平面図
【図６】同筒状構造体の正面図
【図７】同スピーカの一部拡大断面図
【発明を実施するための形態】
【００１６】
以下、本発明の一実施形態にかかるスピーカを、添付図面を用いて説明する。
【００１７】
（実施の形態１）
図１、図２において、１は磁気ギャップ２を有する低域音〜中域音の磁気回路で、この磁気回路１は、リング状の磁石３の表裏面に磁路形成用のヨーク４、５を結合して形成している。
【００１８】
そして、ヨーク４、５間に隙間を設けて前記磁気ギャップ２を形成している。
【００１９】
また、ヨーク５の磁石３とは反対側にリング状の磁石６を配置している。
【００２０】
つまり、本実施形態では、磁石３のヨーク５側をＮ極、ヨーク４側をＳ極としている。
【００２１】
また、磁石６のヨーク５側をＮ極、ヨーク５とは反対側をＳ極としている。
【００２２】
このため、磁石３のＮ極から出た磁束はヨーク５、磁気ギャップ２、磁石３のＳ極へと戻ることになる。
【００２３】
また、磁石６のＮ極から出た磁束の一部もヨーク５、磁気ギャップ２、磁石３のＳ極へと戻ることになる。なお、磁石６のＮ極からでた磁束の一部は、磁石６のＳ極へと直接戻る物もあるが、ヨーク５が存在するので、磁石６のＮ極からでた磁束の大部分は上記磁気ギャップ２へと向かうことになる。
【００２４】
この結果、磁気ギャップ２には磁石３、６からの磁束が通過する状態となっているので、ここで強い電磁気力を得ることが出来るようになっている。
【００２５】
そして、この磁気ギャップ２に、円筒状のボイスコイル７のコイル部分を可動自在に配置している。
【００２６】
また、ボイスコイル７の上部には、カップリングコーン８の一端側を接着剤（図示せず）により固定しており、このカップリングコーン８の他端側には平板振動板９を固定している。
【００２７】
前記カップリングコーン８は、図２に示すように、前記ボイスコイル７側が小径、前記平板振動板９側が大径となった円錐筒状になっている。
【００２８】
また、前記平板振動板９は、図５、図６に示すように、複数の筒状体１０が、平面方向に連続的に配置されたリング状の筒状構造体１１と、図３、図４に示すように、この筒状構造体１１の表面側と裏面側に配置された板体１２とを有している。
【００２９】
本実施形態では、筒状構造体１１はアルミニュームの薄板で、ハニカム状の筒状体１０を連続的に形成した構成としている。
【００３０】
また、前記筒状構造体１１を構成する、外周の筒状体１０の径を、内周の筒状体１０の径よりも大きくしている。
【００３１】
具体的には、図５に示すように、筒状構造体１１は、内周から、外周に向けて筒状体１０の径を、順次大きくし、これにより、筒状構造体１１を構成する、外周の筒状体１０の径を、内周の筒状体１０の径よりも大きくしているのである。
【００３２】
そして、以上の構成において、本実施形態では、図２のごとく、この筒状構造体１１の内周よりも外方で、カップリングコーン８を固定している。
【００３３】
具体的には、図７のごとく、前記カップリングコーン８の前記平板振動板９側には、外方に向けて折曲させたフランジ部１３を形成し、このフランジ部１３には、このフランジ部１３と前記平板振動板９の裏面側の板体１２との間を固定する接着剤１４を設け、これにより、この筒状構造体１１の内周よりも外方で、カップリングコーン８を固定している。
【００３４】
また、この図７に示すように、前記カップリングコーン８の前記平板振動板９側の端部で、前記平板振動板９の裏面側の板体１２との間に形成される鋭角の隙間１５には、前記フランジ部１３と前記平板振動板９の裏面側の板体１２との間を固定した接着剤１４の一部を流出させて、カップリングコーン８内周固定部（隙間１５部分に対応する部分）を形成している。
【００３５】
さらに、このカップリングコーン８の内周固定部（隙間１５部分に対応する部分）に対応する前記平板振動板部分９には、この平板振動板９を構成する筒状構造体１１における筒状体１０の筒状壁面１６を配置した。
【００３６】
なお、本実施形態においては、前記筒状構造体１１は、内周から、外周に向けて筒状体１０の径を、順次大きくし、これにより、筒状構造体１１を構成する、外周の筒状体１０の径を、内周の筒状体１０の径よりも大きくしている。つまり、外周の筒状体１０の径は大きいので、前記カップリングコーン８の内周固定部（隙間１５部分に対応する部分）に対応する前記平板振動板９部分には、図７のごとく、この平板振動板９を構成する筒状構造体１１における筒状体１０の筒状壁面１６が、横切る状態となっている。
【００３７】
そして、このような構成とすることで、本実施形態では、再生される音への歪の発生を抑制することが出来るものとなる。
【００３８】
具体的には、本実施形態では、先ず、平板振動板９を、複数の筒状体１０が、平面方向に連続的に配置された筒状構造体１１と、この筒状構造体１１の表面側と裏面側に配置された板体１２とを有する構成としたので、平板振動板９自体が撓み難くなる。
【００３９】
次に、前記カップリングコーン８の前記平板振動板９側の端部で、前記平板振動板９の裏面側の板体１２との間に形成される鋭角の隙間１５には、前記フランジ部１３と前記平板振動板９の裏面側の板体１２との間を固定した接着剤１４の一部を流出させて、カップリングコーン８の内周固定部を形成し、このカップリングコーン８内周固定部に対応する前記平板振動板９部分には、この平板振動板９を構成する筒状構造体１１における筒状体１０の筒状壁面１６を配置した。
【００４０】
このため、カップリングコーン８からの振動は、この平板振動板９を構成する筒状構造体１１における筒状体１０の筒状壁面１６に伝達されることとなり、このことからも、平板振動板９自体が撓み難くなる。
【００４１】
さらに、本実施形態では、前記カップリングコーン８の前記平板振動板９側の端部で、前記平板振動板９の裏面側の板体１２との間に形成される鋭角の隙間１５に、前記フランジ部１３と前記平板振動板９の裏面側の板体１２との間を固定した接着剤１４の一部を流出させて、カップリングコーン８内周固定部を形成した。
【００４２】
つまり、本実施形態では、前記ボイスコイル７からの振動は、このボイスコイル７側が小径、前記平板振動板９側が大径となったカップリングコーン８の円錐筒状にスムーズに伝達される。
【００４３】
そして、カップリングコーン８の円錐筒状にスムーズに伝達された振動は、そのまま平板振動板９へと伝達されるので、振動に歪も発生することも少なく、以上の各作用が総合的に連携して発揮されることで、結論として、再生される音声への歪の発生を抑制することが出来るものとなるのである。
【００４４】
なお、本実施形態では、リング状の平板振動板９の内方には、図２のごとく円筒容器部１７を設け、この円筒容器部１７と平板振動板９の内周部分には、平板振動板９の内周部分を円筒容器部１７に指示させるダンパー１８を設けている。
【００４５】
また、リング状の平板振動板９の外周部分は、ダンパー１９によって外周枠２０に振動自在に取り付けられている。
【００４６】
なお、図２の外周枠２０は、図１からも理解されるように、ヨーク４部分に固定されている。
【００４７】
また、本実施形態では、円筒容器部１７内に、高域音用の振動板２１を設けているが、この振動板２１には、平板振動板９のような筒状構造体１１は用いていない。
【００４８】
その理由は、低域音、中域音を再生する平板振動板９は、実際の音声、音楽再生時においてはほとんどのパートを受け持つが、高域音用の振動板２１は極めて高域の音だけの一部しか再生しないものであるという理由からである。
【００４９】
それよりも、広域音用の振動板２１に筒状構造体１１を用いると、重量増から高域再生が難しくなるので、上述のごとく、この振動板２１には、平板振動板９のような筒状構造体１１は用いていない。
【産業上の利用可能性】
【００５０】
以上のように本発明のスピーカは、再生される音への歪の発生を抑制することが出来るものとなる。
【００５１】
したがって、音楽や音声を再生するスピーカとしての活用が期待される。
【符号の説明】
【００５２】
１  磁気回路
２  磁気ギャップ
３  磁石
４  ヨーク
５  ヨーク
６  磁石
７  ボイスコイル
８  カップリングコーン
９  平板振動板
１０  筒状体
１１  筒状構造体
１２  板体
１３  フランジ部
１４  接着剤
１５  隙間
１６  筒状壁面
１７  円筒容器部
１８  ダンパー
１９  ダンパー
２０  外周枠
２１  振動板
【図１】
2016052078.tif 000003
【図２】
2016052078.tif 000004
【図３】
2016052078.tif 000005
【図４】
2016052078.tif 000006
【図５】
2016052078.tif 000007
【図６】
2016052078.tif 000008
【図７】
2016052078.tif 000009